(57)【要約】【課題】録画番組を効率よく視聴可能な録画再生装置を提供することを目的とする【解決手段】電子番組表に含まれるジャンル情報に基づいて録画番組のジャンルを特定する特定手段と、前記特定手段により特定されたジャンルに応じた抽出方法で前記録画番組の抽出対象部分を抽出する抽出手段と、前記抽出手段により抽出された抽出対象部分の再生要求に応じて抽出対象部分の再生を可能とする処理を行う処理手段と、を備える【選択図】図１
2014131137.tif 000002
【特許請求の範囲】
【請求項１】
電子番組表に含まれるジャンル情報に基づいて録画番組のジャンルを特定する特定手段と、
前記特定手段により特定されたジャンルに応じた抽出方法で前記録画番組の抽出対象部分を抽出する抽出手段と、
前記抽出手段により抽出された抽出対象部分の再生要求に応じて抽出対象部分の再生を可能とする処理を行う処理手段と、
を備える録画再生装置。
【請求項２】
前記抽出手段は前記特定手段により特定されたジャンル及び電子番組表に含まれる番組名情報に応じた抽出方法で前記録画番組の抽出対象部分を抽出する請求項１に記載の録画再生装置。
【請求項３】
過去に前記録画番組と同一の番組について抽出対象部分を抽出したことがない場合に前記抽出手段は、前記特定手段により特定されたジャンルに応じた抽出方法で前記録画番組の抽出対象部分を抽出し、過去に前記録画番組と同一の番組について抽出対象部分を抽出したことがある場合に前記抽出手段は、前記録画番組と同一の番組に対して実行した抽出方法に基づいて前記録画番組の抽出対象部分を抽出する請求項１又は請求項２に記載の録画再生装置。
【請求項４】
前記抽出手段は前記録画番組の映像情報、音声情報、字幕情報のうち１以上の情報に基づいて抽出対象部分を抽出する請求項１〜請求項３のいずれか１項に記載の録画再生装置。
【請求項５】
前記抽出手段が前記録画番組の映像情報に基づいて抽出対象部分を抽出する場合は、映像情報に含まれる映像の輝度情報及び映像内に表示される文字情報を含む情報に基づいて抽出対象部分を抽出する請求項４に記載の録画再生装置。
【請求項６】
前記抽出手段が前記録画番組の音声情報に基づいて抽出対象部分を抽出する場合は、音声情報に含まれる音声の波形情報及び／又は音声の周波数情報を含む情報に基づいて抽出対象部分を抽出する請求項４又は請求項５に記載の録画再生装置。
【請求項７】
前記抽出手段が前記録画番組の字幕情報に基づいて抽出対象部分を抽出する場合は、字幕情報に含まれる出演者情報及び出演時間情報を含む情報に基づいて抽出対象部分を抽出する請求項４〜請求項６のいずれか１項に記載の録画再生装置。
【請求項８】
前記処理手段は前記抽出手段により抽出された抽出対象部分にチャプタを設定する処理又は抽出対象部分に関連する映像のみを録画内容として保存する処理を行う請求項１〜請求項７のいずれか１項に記載の録画再生装置。
【発明の詳細な説明】
【技術分野】
【０００１】
本発明は、録画再生装置に関する。
【背景技術】
【０００２】
従来より、テレビ放送を受信可能な録画再生装置は、記憶媒体（例えばＨＤＤ）が内蔵されているものがあり、テレビ番組を記憶媒体に保存することで録画が可能である。近年録画再生装置に内蔵される記憶媒体の記憶容量はより大容量になっており、多くのテレビ番組を録画することができる。
【０００３】
一方で、大量の録画番組を視聴するためには多くの時間が必要である。録画番組の内容によっては全編視聴する必要はなく、所望のシーンのみ視聴できればよい番組もあるが、所望のシーンが番組中の何処に出てくるか分からない場合には少なくとも所望のシーンが出てくるまで録画番組を視聴する必要がある。よって視聴時間を十分に確保できない場合には録画番組が増える一方で、視聴済み録画番組が増えないという問題が生じうる。
【０００４】
特許文献１には録画全域の音声レベルをサーチし、所定レベル以上の音声時にタグ情報を作成してダイジェスト版を作成する録画装置が開示されている。当該録画装置によればタグ情報を利用して音声レベルが所定レベル以上であるシーンのみを再生することが可能である。
【先行技術文献】
【特許文献】
【０００５】
【特許文献１】特開２００２−３３０３９０号公報
【発明の概要】
【発明が解決しようとする課題】
【０００６】
しかしながら音声が所定レベル以上であるシーンが所望のシーンであるとは限られない。また、録画番組のジャンルが異なっているにもかかわらず、一律の所定レベルを設定して音声レベルと比較するのは適切ではない。
【０００７】
本発明は上述した問題点に鑑み、録画番組を効率よく視聴可能な録画再生装置を提供ことを目的とする。
【課題を解決するための手段】
【０００８】
上記目的を達成するために本発明の録画再生装置は、電子番組表に含まれるジャンル情報に基づいて録画番組のジャンルを特定する特定手段と、前記特定手段により特定されたジャンルに応じた抽出方法で前記録画番組の抽出対象部分を抽出する抽出手段と、前記抽出手段により抽出された抽出対象部分の再生要求に応じて抽出対象部分の再生を可能とする処理を行う処理手段と、を備えることを特徴とする。
【０００９】
また上記構成の録画再生装置において、前記抽出手段は前記特定手段により特定されたジャンル及び電子番組表に含まれる番組名情報に応じた抽出方法で前記録画番組の抽出対象部分を抽出することが望ましい。
【００１０】
また上記構成の録画再生装置において、過去に前記録画番組と同一の番組について抽出対象部分を抽出したことがない場合に前記抽出手段は、前記特定手段により特定されたジャンルに応じた抽出方法で前記録画番組の抽出対象部分を抽出し、過去に前記録画番組と同一の番組について抽出対象部分を抽出したことがある場合に前記抽出手段は、前記録画番組と同一の番組に対して実行した抽出方法に基づいて前記録画番組の抽出対象部分を抽出することが望ましい。
【００１１】
また上記構成の録画再生装置において、前記抽出手段は前記録画番組の映像情報、音声情報、字幕情報のうち１以上の情報に基づいて抽出対象部分を抽出することが望ましい。
【００１２】
また上記構成の録画再生装置において、前記抽出手段が前記録画番組の映像情報に基づいて抽出対象部分を抽出する場合は、映像情報に含まれる映像の輝度情報及び映像内に表示される文字情報を含む情報に基づいて抽出対象部分を抽出することが望ましい。
【００１３】
また上記構成の録画再生装置において、前記抽出手段が前記録画番組の音声情報に基づいて抽出対象部分を抽出する場合は、音声情報に含まれる音声の波形情報及び／又は音声の周波数情報を含む情報に基づいて抽出対象部分を抽出することが望ましい。
【００１４】
また上記構成の録画再生装置において、前記抽出手段が前記録画番組の字幕情報に基づいて抽出対象部分を抽出する場合は、字幕情報に含まれる出演者情報及び出演時間情報を含む情報に基づいて抽出対象部分を抽出することが望ましい。
【００１５】
また上記構成の録画再生装置において、前記処理手段は前記抽出手段により抽出された抽出対象部分にチャプタを設定する処理又は抽出対象部分に関連する映像のみを録画内容として保存する処理を行うことが望ましい。
【発明の効果】
【００１６】
本発明によれば、録画番組のジャンルに応じた適切な方法で抽出対象部分、すなわち所望のシーンが抽出される。そして抽出された抽出対象部分がユーザの要求に応じて再生可能となるように処理を行うのでユーザは様々なジャンルの録画番組の個々について、所望のシーンを簡単に再生することができる。
【図面の簡単な説明】
【００１７】
【図１】録画再生装置の構成の一例を示す図
【図２】電子番組表（ＥＰＧ）情報の一例を示す第１の図
【図３】電子番組表（ＥＰＧ）情報の一例を示す第２の図
【図４】第１実施形態の録画再生装置の制御部が実行する処理を示すフローチャート
【図５】録画予約の設定画面の一例を示す図
【図６】抽出部が実行する抽出対象部分の抽出処理を示す第１のフローチャート
【図７】表示領域の分割例を示す図
【図８】表示部に表示される画像の一例を示す図
【図９】テンプレートとして所持する数値／文字の一例を示す図
【図１０】テンプレートマッチングの流れを示す第１の図
【図１１】抽出部が実行する抽出対象部分の抽出処理を示す第２のフローチャート
【図１２】字幕情報の一例を示す図
【図１３】第２実施形態の録画再生装置の制御部が実行する処理を示すフローチャート
【図１４】テンプレートマッチングの流れを示す第２の図
【図１５】第３実施形態の録画再生装置の制御部が実行する処理を示すフローチャート
【発明を実施するための形態】
【００１８】
＜第１実施形態＞
以下に本発明の録画再生装置について図面を参照して説明する。なお、以下に示す実施形態は、本発明の技術的思想を具体化するために録画再生装置の一例を示すものであって、本発明をこの録画再生装置に特定することを意図するものではなく、特許請求の範囲に含まれるその他の実施形態の装置にも等しく適応し得るものである。
【００１９】
図１は本発明の録画再生装置の構成の一例を示す図である。図２は電子番組表（ＥＰＧ）情報の一例を示す第１の図である。図３は電子番組表（ＥＰＧ）情報の一例を示す第２の図である。
【００２０】
録画再生装置１はチューナ部２、デコーダ部３、記憶部４、操作部５、表示部６、制御部７を備える。チューナ部２はアンテナ（不図示）の出力信号（以下、「アンテナの出力信号」を「放送信号」と称することもある。）を受信する受信手段である。チューナ部２は放送信号を増幅、復調し、デコーダ部３へ出力する。ここで、放送信号には、テレビ番組のコンテンツ情報と電子番組表（ＥＰＧ）情報とを含む情報が多重されている。
【００２１】
ＥＰＧ情報には各放送局のテレビ番組表、各テレビ番組の詳細内容等の情報が含まれる。各テレビ番組の詳細内容として含まれる情報の一例を図２、図３に示す。図２、図３に示すように各テレビ番組の詳細内容としては、番組タイトル、ジャンル、放送内容の概要、放送局、放送時間（放送開始時間及び放送終了時間）、出演者名等のテレビ番組に関連する情報が含まれる。
【００２２】
ジャンル情報はテレビ番組をニュース／報道、ドラマ、映画、スポーツ、音楽、バラエティ、アニメ／特撮等、内容で分類したものであり、これらの中からテレビ番組の内容に相当する１又は２以上のジャンルが選択される。ユーザが録画予約を行う際に興味のあるジャンルを指定することで、録画再生装置１にそのジャンルに属するテレビ番組の録画を自動的に行なわせることができる。つまり、ユーザは録画を行うジャンルを指定することで個々の番組に対して録画予約を設定することなく所望の番組の録画を予約することが可能になる。
【００２３】
放送局情報はそのテレビ番組を放送している放送局を示す情報である。番組名情報は放送局がそのテレビ番組に対して設定した番組名情報である。
【００２４】
デコーダ部３は、チューナ部２からの出力信号を、映像信号と音声信号とＥＰＧ情報に分離して、それぞれをデコードする。
【００２５】
記憶部４は録画されたテレビ番組（録画番組）を記憶する記憶手段である。本実施形態では記憶部４として録画再生装置１に内蔵された記憶媒体を示しているが、これに代えて、或いはこれに加えて録画再生装置１に外部接続された記憶媒体を有することとしてもよい。
【００２６】
操作部５はテレビ番組の選局、録画予約等の機能を利用したり、録画再生装置１の設定を変更する際に操作される操作手段である。本実施形態では操作部５として録画再生装置１本体に設けられた操作パネルを示しているが、これに代えて、或いはこれに加えて録画再生装置１と赤外線通信可能なリモコンを有することとしてもよい。
【００２７】
表示部６は操作部５が操作されることによって所定の画像・映像が表示される表示手段である。記憶部４に記憶されている録画番組、電子番組表、録画再生装置１の設定を変更するための設定画面、データ放送等が表示される。本実施形態では表示部６として録画再生装置１本体に設けらた（内蔵の）表示部を示しているが、これに代えて、或いはこれに加えて録画再生装置１の外部端子を介して接続される外部表示モニタ（外部の表示部）を有することとしてもよい。
【００２８】
制御部７は録画再生装置１全体を制御する制御手段である。例えばデコーダ部３から入力されたＥＰＧ情報に基づいてテレビ番組表を作成する。また、制御部７は特定部７１、抽出部７２、処理部７３を備える。なお、本実施形態では録画再生装置１が一の制御部７を備え、制御部７が特定部７１、抽出部７２、処理部７３を有するものとして以下説明するが、これに限られるものではない。録画再生装置１が複数の制御部を備える構成であってもよい。
【００２９】
特定部７１は後述する処理部７３による処理対象に設定されている録画番組のジャンルを特定する特定手段である。上述したようにＥＰＧ情報には各テレビ番組のジャンル情報が含まれている。従って特定部７１は録画番組のジャンル情報に基づいて録画番組のジャンルを特定する。例えば図２に示すＥＰＧ情報によればジャンルはスポーツと特定される。
【００３０】
抽出部７２は録画番組の抽出対象部分を抽出する抽出手段である。テレビ番組の多くは３０分を超える放送時間で放送されている。しかしながらユーザは視聴時間の都合等の諸事情により、その放送時間の全編に亘って視聴したいと考えていない場合がある。例えば録画番組のジャンルがスポーツであれば、得点シーン、自身の応援するチームや選手のプレイシーンが視聴できればよいと考えるユーザが存在する。また、録画番組のジャンルが音楽であれば、歌唱シーン、トークシーン、自身の応援する歌手の出演シーンが視聴できればよいと考えるユーザが存在する。
【００３１】
本実施形態において抽出対象部分とはそのようなユーザが視聴したいと考えているシーン（所望のシーン）であり、抽出部７２は録画番組の全編から抽出対象部分を抽出する。なお、抽出部７２は所望のシーンの開始位置から終了位置までを抽出対象部分として抽出することとしてもよいが、抽出対象部分の開始位置、又は、開始位置及び終了位置を抽出対象部分として抽出することとしてもよい。抽出対象部分の設定（どのようなシーンを抽出するかの設定）は予め定められていることとしてもよいし、ユーザが好みに応じて適宜設定可能であることとしてもよい。
【００３２】
例えば、ＡチームとＢチームが対戦する野球試合（ジャンルはスポーツ）の録画番組において抽出対象部分の初期設定が「得点シーン」であればＡチームの得点シーンとＢチームの得点シーンが抽出対象部分として抽出される。これに対してユーザが抽出対象部分の設定を「Ａチームの得点シーン」と変更した場合は、Ａチームの得点シーンのみが抽出対象部分として抽出される。抽出部７２による抽出対象部分の抽出方法の詳細方法については後述する。
【００３３】
処理部７３はユーザによる抽出部７２によって抽出された抽出対象部分の再生要求に応じて抽出対象部分の再生を可能とする処理を行う。処理部７３が行う処理の詳細に関しては後述する。
【００３４】
以下、制御部７が実行する処理について詳説する。図４は第１実施形態の録画再生装置１の制御部７が実行する処理を示すフローチャートである。図５は表示部６に表示される録画予約の設定画面の一例を示す図である。
【００３５】
ステップＳ０１において制御部７は、録画予約が設定されている場合に、録画予約の開始時刻（録画予約が設定されているテレビ番組の放送開始時刻）が到来すると録画を開始する。ステップＳ０２において制御部７はステップＳ０１において録画を開始したテレビ番組の録画が終了したか（テレビ番組の放送終了時刻が到来したか）否を判定する。録画が終了していなければ（ステップＳ０２のＮ）ステップＳ０２に戻り、録画が終了していれば（ステップＳ０２のＹ）ステップＳ０３に進む。
【００３６】
なお、本実施形態ではステップＳ０２で録画が終了しなければステップＳ０３以降の処理を行わないこととしているが、後述するステップＳ０６の処理までに録画が終了していればよい。よって例えばステップＳ０２の処理をステップＳ０５の処理とステップＳ０６の処理の間に行うこととしてもよい。
【００３７】
ステップＳ０３において制御部７は録画番組に対して抽出対象部分の抽出が設定されているか否かを判定する。抽出対象部分の抽出が設定されていれば（ステップＳ０３のＹ）ステップＳ０４に進み、抽出対象部分の抽出が設定されていなければ処理を終了する。例えば図５に示すように録画予約時の設定項目内に抽出対象部分の抽出を行うか行わないかの選択を可能とし、ユーザにより「抽出する」が選択されているとき（図５は「抽出する」が選択されている状態を示している）はステップＳ０４に進み、「抽出しない」が選択されているときは処理を終了する。なお、録画再生装置１は全ての録画番組に対して自動的に抽出対象部分の抽出を行うこととしてもよく、その場合には本ステップを有しないこととしてもよい。
【００３８】
ステップＳ０４において制御部７の特定部７１は録画番組（録画が完了していない場合、すなわち上記ステップＳ０２が以後のステップで行われる場合は録画中の番組、以降のステップにおいても同じ）のジャンルを特定する。上述したように録画番組のジャンル情報はＥＰＧ情報に含まれており、特定部７１は録画番組のジャンル情報を取得して録画番組のジャンルを特定する。
【００３９】
ステップＳ０５において制御部７の抽出部７２は録画番組の抽出対象部分を抽出する。以下、録画番組のジャンルがスポーツである場合と音楽である場合を例に抽出部７２による抽出対象部分の抽出方法について説明するが、上述したその他のジャンルに関しても夫々抽出対象部分を抽出することができる。
【００４０】
＜録画番組のジャンルがスポーツである場合の抽出対象部分の抽出＞
録画番組のＥＰＧ情報が図２に示すＥＰＧ情報であって、「得点シーン」を抽出対象部分として抽出するように設定されている場合の抽出部７２による抽出対象部分の抽出方法について説明する。図６は図４のステップＳ０４において制御部７の抽出部７２が実行する処理を示す第１のフローチャートである。図７は表示領域の分割例を示す図である。図８は表示部に表示される画像の一例を示す第１の図である。図９はテンプレートとして所持する数値／文字の一例を示す図である。図１０はテンプレートマッチングの流れを示す第１の図である。
【００４１】
ステップＳ１０１において抽出部７２は特定部７１から録画番組のジャンル情報を取得する。本フローチャートにおいて取得するジャンル情報はスポーツである。
【００４２】
一般的にスポーツの試合を放送するテレビ番組では現在の得点状況を即座に確認できるように、ほぼ常時、一定の位置に得点表示がなされている。そこでステップＳ１０２において抽出部７２は画面上において得点が表示される位置を特定する。得点表示の位置を特定する方法として例えば抽出部７２は図７に示すように画面の表示領域を複数の領域（図７では９個の領域）に分割する。分割方法は特に限られるものではないが、本実施形態では格子状に分割する場合を例に説明する。
【００４３】
なお、図７において１〜９の番号は９個に分割された表示領域の各領域（以下、「分割された表示領域の各領域」を「分割領域」とも称する。）に対して便宜上付したものである。図８において図７の各分割領域に対応する領域は図７で付した番号を用いて説明を行うことがある。
【００４４】
ステップＳ１０３において抽出部７２は分割領域１〜９の個々について画像の変化量を算出する。画像の変化量は異なる２つの時点（第１の時刻及び第１の時刻から所定時間経過後の第２の時刻）において分割領域に表示されている画像を比較することによって算出する。
【００４５】
ステップＳ１０４において抽出部７２は分割領域１〜９の個々について平均輝度を算出する。
【００４６】
ステップＳ１０５において抽出部７２は分割領域１〜９の中から抽出対象部分を抽出するための基準となる１の分割領域を選択する。本ステップにおいて分割領域の選択は例えば以下のように行う。
【００４７】
一般的に、得点表示は試合の視聴の邪魔にならない位置に表示される。つまりプレイヤーのプレイ映像を表示している領域に表示されるのではなく、試合会場の壁面（フェンス）や地面（グラウンド）など試合の視聴に関連性の低い物体に重畳して表示することが多い。言い換えれば得点表示は画像・映像の変化量が少ない位置に表示されることが多い。
【００４８】
また、視聴に関連性の低い物体（被重畳物）に得点表示を重畳表示する場合は、得点表示の視認性を高めるために被重畳物の輝度とは大きく異なる輝度の色が得点表示に付される色として選択されることが多い。従って得点表示が表示される分割領域の平均輝度は他の分割領域の平均輝度とは大きく異なることが多い。
【００４９】
そこで抽出部７２は他の分割領域に比べて画像の動きが少なく、且つ、平均輝度が他の分割領域の平均輝度と大きく異なる分割領域を抽出対象部分を抽出するための基準となる分割領域として選択する。例えば図８に示すような画像が表示部６に表示されている場合において、分割領域１〜６及び８はプレイヤーが表示されており、画像の変化量が多い。これに比べて分割領域７及び９はグランドの画像が表示されているだけであり、画像の変化量は少ない。
【００５０】
次に分割領域７と９に表示されている画像に含まれる色の輝度を比較すると、分割領域７は主としてグラウンドの画像が表示されており分割領域７の平均輝度は分割領域１〜６及び８の平均輝度と大きくは異ならない。これに対して分割領域９はグラウンドの画像に重畳して得点表示等が表示されている。上述したようにグラウンドは茶色等の比較的輝度の低い色であり、これに対して得点表示等の視認性を高めるに高い輝度の色を付して表示される。従って分割領域９の平均輝度は分割領域１〜６及び８の平均輝度と大きく異なる。
【００５１】
従って抽出部７２は他の分割領域に比べて画像の動きが少なく、且つ、平均輝度が他の分割領域の平均輝度と大きく異なる分割領域９を抽出対象部分を抽出するための基準となる分割領域として選択する。
【００５２】
ステップＳ１０６において抽出部７２はステップＳ１０５で選択した分割領域が抽出対象部分を抽出するための基準となる分割領域であるか否か（ステップＳ１０５で選択した分割領域で抽出対象部分の抽出が可能か否か）を判定する。すなわち、ステップＳ１０５では１の分割領域を抽出対象部分を抽出するための基準となる分割領域として選択したが、選択した分割領域において得点表示の存在が検出できなかった場合（ステップＳ１０６のＮ）にはステップＳ１０３に戻り、選択した分割領域において得点表示の存在が検出できた場合（ステップＳ１０６のＹ）にはステップＳ１０７に進む。本例で分割領域９は抽出対象部分を抽出するための基準となる分割領域である。
【００５３】
ステップＳ１０５で選択した分割領域において得点表示の存在の有無を検出する方法は例えばテンプレートマッチングにより行う。得点表示は一般的に０〜９数字を組み合わせて表示される。また、野球であれば得点表示と共に攻撃回／守備回を表示するための「表」、「オモテ」、「裏」、「ウラ」が表示されることが多い。そこで抽出部７２は図９に示すように予めテンプレートとして所持するこれらの数値／文字とステップＳ１０５で選択した分割領域内に表示されている数値／文字に表示されている文字との間に互換性が認められる場合に選択した分割領域において得点表示の存在が検出できたと判定する。
【００５４】
一方、抽出部７２は予めテンプレートとして所持する数値／文字とステップＳ１０５で選択した分割領域内に表示されている数値／文字に表示されている文字との間に互換性が認められない場合、或いは、ステップＳ１０５で選択した分割領域内に数値／文字が表示されていない場合に選択した分割領域において得点表示の存在が検出できなかったと判定する。
【００５５】
テンプレートマッチングは図１０に示すように例えば左上に位置する文字から順次、テンプレートとして所持する数値／文字との互換性をチェックする。なお、図９に示すように各数値／文字について複数のフォントサイズをテンプレートとして所持することで互換性のチェックを高精度に行うことができる。また、各数値／文字について複数の字体をテンプレートとして所持することでさらに互換性のチェックを高精度に行うことができる。
【００５６】
図６のフローチャートではステップＳ１０５で選択した分割領域が抽出対象部分を抽出するための基準となる分割領域でない場合（ステップＳ１０６のＮ）にステップＳ１０３に戻ることとしているがこれに限られるものではない。例えば、ステップＳ１０２に戻って異なる方法で表示領域を分割することとしてもよい。
【００５７】
また、ステップＳ１０４に戻って各分割領域の平均輝度を再算出することとしてもよい。また、ステップＳ１０５に戻ることとして、画像の変化量が少ない複数の分割領域（上記例では分割領域７、９）のうち、ステップＳ１０５において未選択の分割領域（上記例では分割領域７）を順次（例えば他の分割領域の平均輝度との差が大きい順）に抽出対象部分を抽出するための基準となる１の分割領域として選択することとしてもよい。
【００５８】
ステップＳ１０７において抽出部７２はステップＳ１０６で抽出対象部分を抽出するための基準となる分割領域であると判定した分割領域を参照して抽出対象部分を抽出する。「得点シーン」を抽出対象部分として抽出するように設定されているため、抽出部７２は分割領域９において得点表示の変更シーンを抽出対象部分として抽出する。分割領域内に得点表示以外の数値（図８では回数表示のための数値）が表示されている場合には得点表示のための数値を特定し、その数値が変更されたときに抽出対象部分として抽出する。
【００５９】
得点表示のための数値を特定する方法は特に限られるものではないが、図８に示す例では、「‐」（ハイフン）を挟んで左右に配される数値を得点表示のための数値と特定して、これら数値の表示位置（座標）、数値、フォントサイズ、字体を記憶して、これら数値が変更されたときに抽出対象部分として抽出する。
【００６０】
＜録画番組のジャンルが音楽である場合の抽出対象部分の抽出＞
録画番組のＥＰＧ情報が図３に示すＥＰＧ情報であって、「歌手□○の歌唱シーン」を抽出対象部分として抽出するように設定されている場合の抽出部７２による抽出対象部分の抽出方法について説明する。図１１は図４のステップＳ０４において制御部７の抽出部７２が実行する処理を示す第２のフローチャートである。図１２は字幕情報の一例を示す図である。
【００６１】
ステップＳ１１１において抽出部７２は特定部７１から録画番組のジャンル情報を取得する。本フローチャートにおいて取得するジャンル情報は音楽である。
【００６２】
音楽番組における歌手の出演シーンは一般的に司会者と歌手との間での会話を放送するトークシーンと、歌手による歌唱シーンとがある。歌唱シーンはトークシーンの後に放送されることが多いため抽出部７２はまず歌手□○のトークシーンを特定する。
【００６３】
ステップＳ１１２において抽出部７２は歌手□○のトークシーンの特定を行う。トークシーンの特定は、上述したジャンルがスポーツである場合と同様に表示領域を分割して分割領域において歌手□○の氏名とマッチングを行うことで特定することとしてもよいが、歌手名が表示される領域を特定することは困難であることから本例では字幕情報に基づいて歌手□○のトークシーンを特定する。
【００６４】
放送信号には上述したテレビ番組のコンテンツ情報とＥＰＧ情報の他に、クローズドキャプション情報が含まれる。クローズドキャプションは聴覚障害者や難聴の人がテレビ番組を楽しむことができるように映像に連動して表示部６上に表示可能な発言者の氏名及び発言内容を示す字幕情報である。以後、クローズドキャプション情報を字幕情報とも称する。
【００６５】
字幕情報には図１２に示すように、発言者の氏名、発言内容と共に発言時間を示す情報が含まれる。従って、抽出部７２は字幕情報に基づいて歌手□○の発言時刻を特定して、その時刻前後が歌手□○のトークシーンであると特定する。本例において歌手□○の最初の発言時刻は１９時２１分１５秒過ぎである。
【００６６】
ステップＳ１１３において抽出部７２は歌手□○の歌唱シーンを特定する。歌唱シーンの特定は字幕情報に「♪」等の音楽が放送されていることを示す記号が含まれていれば字幕情報に基づいて特定すればよい。字幕情報のみで歌唱シーンを特定できない場合には映像情報又は音声情報に基づいて歌唱シーンを特定する。
【００６７】
映像情報に基づいて歌唱シーンを特定する場合は上述したように表示領域を複数の領域に分割する。歌唱シーンではトークシーンに比べて歌手の動きが大きく、また、様々な照明を用いた演出を行うことから輝度の変動が激しくなる。そこで抽出部７２は分割領域における画像の変化量及び輝度の変化量に基づいて歌唱シーンを特定する。
【００６８】
音声情報に基づいて歌唱シーンを特定する場合は音声の波形、周波数に基づいて歌唱シーンを特定する。すなわち、所定時点における音声の波形、周波数が、楽器から発せられる音声や歌唱音声に対応する波形、周波数に対応する波形、周波数であれば当該シーンを歌唱シーンとして特定する。
【００６９】
なお、本実施形態ではトークシーンを特定した後に歌手シーンを特定したがこれに限られるものではない。例えば字幕情報に歌手名、曲名と共に「♪」等の音楽が放送されていることを示す記号が含まれる時間があればトークシーンを特定することなく歌唱シーンを特定することとしてもよい。また、歌手□○の画像を記憶する場合には、複数の歌唱シーンにおいて画像のマッチング処理を行うことで歌手□○の歌唱シーンを特定することとしてもよい。
【００７０】
ステップＳ１１４において抽出部７２はステップＳ１１３で特定した歌唱シーンを抽出対象部分として抽出する。
【００７１】
以上、録画番組のジャンルがスポーツ、音楽である場合を例に説明を行ったが、ジャンル毎に抽出対象部分の抽出方法が設定されていれば、他のジャンルであっても抽出対象部分を抽出することができる。例えば録画番組のジャンルがニュース／報道である場合は抽出対象部分を天気コーナー、特定の芸能人のインタビュー出演コーナーに設定することとしてもよい。以下、図４のフローチャートに戻り、制御部７が実行する処理の説明を続ける。
【００７２】
ステップＳ０６において制御部７の処理部７３はステップＳ０５で抽出部７２によって抽出された抽出対象部分に関し、抽出対象部分の再生要求に応じて抽出対象部分の再生を可能とする処理を行う。処理部７３が行う処理としては例えば、抽出対象部分から所定時間（数秒〜数分）前の位置にチャプタを設定する。チャプタの設定地点を抽出対象部分から所定時間前とすることで、抽出部７２が抽出した抽出対象部分と実際の抽出対象部分とに誤差が存する場合であっても抽出対象部分を確実に視聴することができる。
【００７３】
また、チャプタを設定する際に、そのチャプタにどのような内容の抽出対象部分であるかを示す表示を付することで録画番組内で複数のチャプタが設定されている際に、ユーザがどのチャプタから視聴するかを選択することができる。チャプタに付する表示としては例えば「２回裏得点シーン」、「□○歌唱シーン」が例示される。
【００７４】
処理部７３が行う他の処理としては抽出対象部分に関連する映像のみを残すように編集を行う。すなわち上記例であれば得点シーン、□○の歌唱シーンのみを残し他の部分を削除する。これによりユーザが再生を要求すれば自動的に抽出対象部分の再生が開示される。
【００７５】
抽出対象部分に関連する映像とは少なくとも抽出対象部分を含む映像であって、抽出対象部分に加えて抽出対象部分に連続する抽出対象部分の前後の映像を含む映像であってもよい。後者の場合に例えばスポーツ番組では得点表示が変更される前に、その原因となったプレイが存在するため、そのプレイ映像も含めて残す。
【００７６】
音楽番組では歌唱が開始されてから歌唱が終了するまでの映像を抽出対象部分に関連する映像として残す。歌唱シーンでは上述した方法により、映像情報及び音声情報に基づいて歌唱シーンの開始時点及び終了時点を特定することが可能であり、歌唱シーンの開始時点から終了時点までの映像を含む映像を残す。なお、一般的にテレビ放送の歌唱シーンは５分程度の時間内におさめられることが多いため、歌唱シーンの開始時点から所定時間（５分程度）経過するまでの映像を含む映像を抽出対象部分に関連する映像として残すこととしてもよい。
【００７７】
本実施形態によれば録画番組のジャンルに応じた適切な方法で抽出対象部分が抽出される。そして抽出された抽出対象部分がユーザの要求に応じて再生可能となるように処理を行うのでユーザは様々なジャンルの録画番組の個々について、所望のシーンを簡単に再生することができる。
【００７８】
また、録画番組の映像情報、音声情報、字幕情報のうち１以上の情報に基づいて抽出対象部分の抽出を実行する。つまり放送信号に含まれる情報に基づいて抽出対象部分を抽出できるのでファームウェアの変更・更新により容易に実現することができる。
【００７９】
なお、上記ステップＳ１０３、１０４で抽出部７２は分割領域１〜９について画像の変化量、平均輝度を算出しているが、全ての分割領域について画像の変化量、平均輝度を算出しなくてもよく、一部の分割領域について画像の変化量、平均輝度を算出し、ステップＳ１０５において抽出対象部分を抽出するための基準となる１の分割領域を選択することとしてもよい。
【００８０】
例えばスポーツ番組で得点表示は上述したように試合の視聴の邪魔にならない位置に表示される。つまり、画面の中央部やその周辺に表示されることは少なく、一般的に画面の四隅の角部のいずれかに表示されることが多い。従って抽出部７２は分割領域１、３、７、９について画像の変化量、平均輝度を算出し、抽出対象部分を抽出するための基準となる１の分割領域を選択することとすればよい。
【００８１】
＜第２実施形態＞
第１実施形態ではステップＳ０４で録画番組のジャンルを特定し、ジャンルに応じて適切な抽出対象部分の抽出方法で抽出対象部分を抽出することとした。ジャンルは上述したようにテレビ番組を内容で分類したものであるが、さらに細かく分類（ジャンルを更に細かく分類したものを以下「サブジャンル」と称する。）しなければ具体的な番組内容が明確でないものもある。例えばスポーツというジャンルには、種々の競技が含まれ、そのテレビ番組が野球に関するテレビ番組なのかサッカーに関するテレビ番組なのか等具体的な競技名はジャンル情報に含まれない。
【００８２】
抽出対象部分として「得点シーン」を抽出するとしても得点表示の方法や表示領域における得点表示の位置は競技によって異なる。上記第１実施形態のような処理とすることで競技名を特定しなくとも抽出対象部分を抽出することはできるが、競技名が特定されていれば、その競技に適した抽出対象部分の抽出処理を行えばよく処理効率が向上する。
【００８３】
そこで本実施形態ではＥＰＧ情報に含まれるジャンル情報及び番組名情報に基づいてサブジャンルを特定し、サブジャンルに応じて適切な抽出対象部分の抽出方法で抽出対象部分を抽出する。
【００８４】
図１３は第２実施形態の録画再生装置１の制御部７が実行する処理を示すフローチャートである。本実施形態では録画番組のジャンルがスポーツである場合を例に説明を行う。なお、図１３のフローチャートのステップＳ２１〜２４、Ｓ２７は夫々図４のフローチャートのステップＳ０１〜０４、Ｓ０６と同様であるため説明を省略する。
【００８５】
ステップＳ２５において制御部７は録画番組のサブジャンルを特定する。具体的には、ステップＳ２４において特定された録画番組のジャンル情報とＥＰＧ情報に含まれる番組名情報とに基づいてサブジャンルを特定する。番組名情報は図２に示すように「プロ野球中継Ａ−Ｂ戦」であり、番組名内に「野球」の文字が含まれる。従って制御部７は録画番組のサブジャンルを「野球」であると特定する。
【００８６】
ステップＳ２６において制御部７の抽出部７２は録画番組の抽出対象部分を抽出する。抽出対象部分の抽出方法は第１実施形態と同様である（図６〜図９参照）。但し、図６のフローチャートの各ステップにおいて抽出部７２はサブジャンル「野球」に適した処理を行う。
【００８７】
例えば図６のフローチャートのステップＳ１０６においてステップＳ１０５で選択した分割領域が抽出対象部分を抽出するための基準となる分割領域であるか否かを判定する際に、サブジャンル「野球」に適した処理を行う。
【００８８】
すなわちジャンル「スポーツ」において得点表示は数値で表されるが、表示領域に表示される数値は得点表示に限られるものではなく、選手紹介の際の背番号等、得点表示とは無関係な情報を示す際にも多く使用される。これに対して「野球」では得点表示と共に表示される回数表示に「表」や「裏」など他の競技や他の情報では通常使用されない文字が使用される。従って抽出部７２は特定したサブジャンルのみ或いは特定したサブジャンルを含む少数のサブジャンルのみで使用されるような特徴ある文字を使用して図１４に示すようにテンプレートマッチングを行うことで高精度且つ効率よく判定を行うことができる。
【００８９】
本実施形態によれば第１実施形態と同様の効果を奏する。加えて、ジャンル情報と番組名情報に基づいて録画番組のサブジャンルを特定して、サブジャンルに応じた適切な方法で抽出対象部分を高精度で効率よく抽出対象部分を抽出することができる。
【００９０】
＜第３実施形態＞
第１実施形態、第２実施形態ではジャンル或いはサブジャンルを特定することで、ジャンル、サブジャンルに応じて抽出対象部分を抽出した。しかしながら、例えばサブジャンル「野球」であっても、得点表示を表示領域の何処に表示するかは放送局によって異なり、図６のフローチャートに示すように抽出対象部分を抽出するための基準となる分割領域を特定する必要がある。
【００９１】
一方、録画番組が抽出対象部分を抽出した過去の録画番組と同一の番組であれば、抽出対象部分を抽出するための基準となる分割領域も当該過去の録画番組と同一であると考えられる。従って本実施形態では録画番組が抽出対象部分を抽出した過去の録画番組と同一の番組である場合に、過去の抽出対象部分抽出処理に基づいて抽出対象部分を抽出する。
【００９２】
図１５は第３実施形態の録画再生装置１の制御部７が実行する処理を示すフローチャートである。本実施形態では録画番組のジャンルがスポーツである場合を例に説明を行う。なお、図１５のフローチャートのステップＳ４１〜Ｓ４３は夫々図４のフローチャートのステップＳ０１〜０３と同様であるため説明を省略する。
【００９３】
ステップＳ４４において制御部７は録画番組が過去に抽出対象部分を抽出した録画番組と同一の番組であるか否かを判定する。過去に抽出対象部分を抽出した録画番組と同一の番組であれば（ステップＳ４４のＹ）ステップＳ４５に進み、過去に抽出対象部分を抽出した録画番組と同一の番組でなければ（ステップＳ４４のＮ）ステップＳ４６に進む。なお、ステップＳ４６〜ステップＳ４９は夫々図１３のフローチャートのステップＳ２４〜Ｓ２７と同様であるため説明を省略する。
【００９４】
録画番組と過去に抽出対象部分を抽出した録画番組が同一の番組であるか否かは、ＥＰＧ情報に含まれる番組名情報に基づいて判定する。なお、番組名情報にメインタイトル情報とサブタイトル情報が含まれる場合にはメインタイトル情報のみを比較することが望ましい。
【００９５】
例えば図２に示すＥＰＧ情報において、番組名は「プロ野球中継  Ａ−Ｂ戦」であるが、その内メインタイトルである「サブタイトルである「Ａ−Ｂ戦」は対戦チームに応じて変更されるものである。このような場合にはメインタイトルである「プロ野球中継」が一致するか否かに基づいて同一の番組であるか否かを判定する。
【００９６】
制御部７はさらに放送局情報にも基づいて番組の同一性を判定することとしてもよい。すなわち、番組名はテレビ番組の内容を示唆する名称が付されることが多く、プロ野球を中継する番組であれば複数の放送局が「プロ野球中継」をメインタイトルにする可能性がある。そこで録画番組の番組名及び放送局が一致した場合に同一の番組であると判定することにより、より高精度に番組の同一性を判定することができる。
【００９７】
ステップＳ４５において制御部７の抽出部７２は録画番組の抽出対象部分を抽出する。その際、過去に同一の番組において抽出対象部分を抽出した際の抽出方法に基づいて抽出対象部分を抽出する。例えば過去に抽出対象部分を抽出した同一の録画番組において、図７に示す分割領域６が抽出対象部分を抽出するための基準となる分割領域であると判定されている場合に、制御部７の抽出部７２は図６のフローチャートのステップＳ１０１〜ＳＳ１０６の処理を省略して、分割領域６を参照して抽出対象部分を抽出する（ステップＳ１０７）。
【００９８】
本実施形態によれば第１実施形態及び第２実施形態と同様の効果を奏する。加えて過去に抽出対象部分を抽出した録画番組と同一の録画番組について抽出対象部分を抽出する場合に、過去の抽出方法に基づいて抽出対象部分を抽出するので効率よく抽出対象部分を抽出することができる。
【符号の説明】
【００９９】
１      録画再生装置
２      チューナ部
３      デコーダ部
４      記憶部
５      操作部
６      表示部
７      制御部
７１    特定部
７２    抽出部
７３    処理部
【図１】
2014131137.tif 000003
【図２】
2014131137.tif 000004
【図３】
2014131137.tif 000005
【図４】
2014131137.tif 000006
【図６】
2014131137.tif 000007
【図７】
2014131137.tif 000008
【図８】
2014131137.tif 000009
【図９】
2014131137.tif 000010
【図１１】
2014131137.tif 000011
【図１２】
2014131137.tif 000012
【図１３】
2014131137.tif 000013
【図１５】
2014131137.tif 000014
【図５】
2014131137.tif 000015
【図１０】
2014131137.tif 000016
【図１４】
2014131137.tif 000017